(57)【要約】接触片と可動の接触ブリッジを有する少なくとも２つの開閉可能な主接点と、閉路および開路の際に対応する主接点が閉じたり開いたりするように前記接触ブリッジに作用する可動の磁心を有する少なくとも１つの制御磁石とを備え、前記磁心の閉止位置と開放位置に応じて閉状態と開状態を有する開閉接点（４）が設けられた開閉装置を安全に作動させる方法および装置に関する。本発明の方法は、ａ）前記制御磁石がオンおよび／又はオフされた際に接点開裂手段（６）を作動させるための電気制御信号を生成し、該制御信号は、前記開閉装置が適正に作動している際には、前記開閉接点（４）の閉状態の範囲外に位置するように出力し、更に、ｂ）前記制御磁石がターンオン又はターンオフされた際に前記開閉接点（４）が閉状態にとどまっているときは、前記接点開裂手段（６）をリリースする制御信号を前記開閉接点（４）が導通することによって、前記開閉手段の動作に不具合がある際に前記接点開裂手段（６）を作動させるステップを有する。
2008525948.tif 000002
【特許請求の範囲】
【請求項１】
接触片および可動の接触ブリッジを有する少なくとも１つの閉路可能かつ開路可能な主接点と、閉路および開路の際に対応する主接点が閉じられたり開いたりするように前記接触ブリッジに作用する可動の磁心を有する少なくとも１つの制御磁石とを備え、前記磁心の閉止位置と開放位置に応じて閉状態と開状態を有する開閉接点（４）が設けられた開閉装置を安全に作動させる方法において、
ａ）前記制御磁石がターンオンおよび／又はターンオフされた際に接点開裂手段（６）を作動させるための電気制御信号を生成するステップを有し、前記制御信号は、前記開閉装置が適正に作動している際には、前記開閉接点（４）の閉状態の範囲外に位置するように出力し、更に、
ｂ）前記制御磁石がオン又はオフされた際に前記開閉接点（４）が閉状態に留まっているときには、前記接点開裂手段（６）を作動させる制御信号を前記開閉接点（４）が導通することで、前記開閉手段の動作に不具合がある際に前記接点開裂手段（６）を作動させるステップを有することを特徴とする方法。
【請求項２】
前記電気制御信号を復帰遅延型のブレーク接点（３）によって生起することを特徴とする請求項１記載の方法。
【請求項３】
接触片および可動の接触ブリッジを有する少なくとも１つの開閉可能な主接点と、閉路および開路の際に対応する主接点を閉じたり開いたりするように前記接触ブリッジに作用する可動の磁心を有する少なくとも１つの制御磁石とを備え、前記磁心の閉止位置と開放位置に応じて閉状態と開状態を有する開閉接点（４）が設けられた開閉装置を安全に作動させる方法において、
ａ）前記制御磁石がオンおよび／又はオフした際に接点開裂手段（６）を作動させるための電気制御パルス（ＰＬ）を生成するステップを有し、前記制御パルス（ＰＬ）の各々の時間（ＴＰおよびＴＮ）を、前記開閉装置が適正に作動している際には、時間的に前記開閉接点（４）の開状態の範囲内に収まるように設定し、更に、
ｂ）前記制御磁石をオン又はオフした際に前記開閉接点（４）が閉状態にとどまっているときは、前記制御パルス（ＰＬ）を前記開閉接点（４）が導通することによって前記接点開裂手段（６）を作動させるステップを有することを特徴とする方法。
【請求項４】
前記電気制御パルス（ＰＬ）は前記開閉装置が開路されているとき所定の値（ＴＶ）だけ遅延されることを特徴とする請求項３記載の方法。
【請求項５】
前記電気制御信号および前記電気制御パルス（ＰＬ）は電子スイッチング回路（８）によって生成されることを特徴とする請求項１から４の１つに記載の方法。
【請求項６】
前記電子スイッチング回路（８）に、少なくとも１つの単安定マルチバイブレータ（１０、１１）と時間遅延素子（１２）が設けられたことを特徴とする請求項５記載の方法。
【請求項７】
前記接点開裂手段（６）がリリースされた際に前記開閉装置の以後の動作を中止することを特徴とする請求項１から６の１つに記載の方法。
【請求項８】
接触片および可動の接触ブリッジを有する少なくとも１つの開閉可能な主接点と、可動の磁心を有し、前記磁心は閉路および開路の際に対応する主接点が閉止可能かつ開放可能となるように前記接触ブリッジに作用する、少なくとも１つの制御磁石と、前記磁心の閉止位置と開放位置に応じて閉状態と開状態を有する開閉接点（４）とを備える開閉装置を安全に作動させる装置において、
ａ）前記制御磁石がターンオンおよび／又はターンオフされた際に接点開裂手段（６）を作動させるための電気制御信号を生成する手段を有し、前記制御信号は、前記開閉装置が適正に作動している際には、前記開閉接点（４）の閉状態の範囲外に位置するように出力され、更に、
ｂ）前記制御磁石がターンオン又はターンオフされた際に前記開閉接点（４）が閉状態に留まっているときは、前記接点開裂手段（６）をリリースする制御信号を前記開閉接点（４）が導通することで、前記開閉手段の動作に不具合がある際に前記接点開裂手段（６）をリリースする手段を有することを特徴とする装置。
【請求項９】
前記電気制御信号は復帰遅延型のブレーク接点（３）によって生起可能であることを特徴とする、請求項８記載の装置。
【請求項１０】
接触片および可動の接触ブリッジを有する少なくとも１つの開閉可能な主接点と、可動の磁心を有し、前記磁心は閉路および開路の際に対応する主接点が閉止可能かつ開放可能となるように前記接触ブリッジに作用する、少なくとも１つの制御磁石と、前記磁心の閉止位置と開放位置に応じて閉状態と開状態を有する開閉接点（４）とを備える開閉装置を安全に作動させる装置において、
ａ）前記制御磁石がターンオンおよび／又はターンオフされた際に接点開裂手段（６）を作動させるための電気制御パルス（ＰＬ）を生成する手段が設けられ、前記制御パルス（ＰＬ）の各々の時間（ＴＰおよびＴＮ）は、前記開閉装置の適正作動時には時間的に前記開閉接点（４）の開状態の範囲内に収まるように設定され、更に、
ｂ）前記制御磁石がターンオン又はターンオフされた際に前記開閉接点（４）が閉状態に留まっているときは、前記制御パルス（ＰＬ）を前記開閉接点（４）が導通することによって前記接点開裂手段（６）をリリースする手段が設けられたことを特徴とする装置。
【請求項１１】
前記電気制御パルス（ＰＬ）は前記開閉装置が開路されているとき所定の値（ＴＶ）だけ遅延されることを特徴とする、請求項１０に記載の装置。
【請求項１２】
前記電気制御信号および前記電気制御パルス（ＰＬ）は電子スイッチング回路（８）によって生成されることを特徴とする請求項８から１１の１つに記載の装置。
【請求項１３】
前記電子スイッチング回路（８）に、少なくとも１つの単安定マルチバイブレータ（１０、１１）と時間遅延素子（１２）が設けられたことを特徴とする請求項１２記載の装置。
【請求項１４】
前記接点開裂手段（６）がリリースされたときは、前記開閉装置の以後の動作を中止することを特徴とする請求項８から１３の１つに記載の装置。
【請求項１５】
負荷の安全な開閉をするために請求項１から７の１つに記載の方法を実施する開閉装置において、前記開閉装置は接触器又は電源スイッチ又はコンパクト分岐器である開閉装置。
【請求項１６】
請求項８から１５の１つに記載の装置を備え、負荷を安全に開閉するための開閉装置において、前記開閉装置は接触器、電源スイッチ又はコンパクト分岐器である開閉装置。
【請求項１７】
前記開閉装置が、１つの制御磁石によって３つの電流経路を閉路および開路するために３つの主接点を備える３極開閉装置であることを特徴とする請求項１５又は１６記載の開閉装置。
【発明の詳細な説明】
【技術分野】
【０００１】
本発明は、請求項１および３の前文に記載の開閉装置を安全に作動させる方法と、請求項８および１０の前文に記載の装置に関する。
【背景技術】
【０００２】
開閉装置、特に低電圧開閉装置によって、電気供給装置と負荷との間の電流経路を開閉し、もって動作電流を開閉できる。このことは、開閉装置により電流経路を開いたり閉じたりすることで、接続されている負荷を安全にオンオフできることを意味する。
【０００３】
例えば接触器、電源スイッチ或いはコンパクトスタータ等の低電圧開閉装置は、電流経路を開閉すべく、１つ又は複数の制御磁石によって制御可能な１つ又は複数の所謂主接点を有する。この主接点は、原理的に、負荷および供給装置が接続された可動の接触ブリッジと、定置の接触片とで構成されている。主接点を開閉すべく、相応の閉路信号又は開路信号が制御磁石へと送られ、それを受けて制御磁石は、その磁心によって可動の接触ブリッジに作用を及ぼし、接触ブリッジが定置の接触片に対する相対運動を行って、開閉すべき電流経路を開閉する。
【０００４】
接触片と接触ブリッジを一層良好に接触させるべく、両者が互い接する個所には、相応に構成された接触面が設けられている。この接触面は、これらの個所で接触ブリッジと接触片の双方に装着されて特定の厚みを有する素材、例えば銀合金等できている。
【０００５】
接触面の素材は、開閉操作のたびに磨耗を受ける。このような磨耗に影響を及ぼす可能性のある要因には次のものがある。
閉路・開路のプロセス回数の増大に伴う、接触焼損又は接触磨減の増加
変形の増大
アークの作用による接触腐食の進行
例えば水蒸気や浮遊物質等の環境要因
【０００６】
以上の結果として動作電流が安全にオンオフされなくなってしまい、このことは、電流の遮断、接点の加熱或いは接点の溶着につながりかねない。
【０００７】
例えば、特に接触焼損が増すにつれ、接触面に装着されている素材の厚みが減少する。それに伴い、接触ブリッジおよび接触片の各接触面間の開閉距離が長くなり、このことは最終的に、閉止時の接触力を弱めることになる。その結果として、開閉プロセスの回数が増えるにつれて、各接点が適正に閉じられなくなる。すると、その結果として生じる電流の遮断によって、或いは閉路時の衝撃が強まることによって、接点の加熱やそれに伴う接点材料の溶融の増加につながる場合があり、このことは、ひいては主接点の接触面の溶着につながる可能性がある。
【０００８】
開閉装置の主接点が磨耗し、或いは更に進んで溶着すると、開閉装置は負荷を安全にスイッチオフできなくなる。例えば接点が溶着していると、開路信号にも係らず、少なくとも溶着した主接点を含む電流経路が、引き続き電流および電圧を導通する状態のままとなり、そのため負荷が供給装置から完全に切り離されなくなる。すると負荷は不安定な状態に留まることになり、開閉装置が潜在的な不具合の発生源になる。
【０００９】
その結果、例えば作動に基づき開閉を行う際、制御磁石と同じく主接点に対して追加の保護機構が作用するＩＥＣ６０９４７−６−２に定めるコンパクトスタータでは、保護機能が妨げられてしまう可能性がある。
【００１０】
従って、開閉装置の安全な動作と、これに伴う負荷および電気設備の保護のために、他ならぬこのような不具合の発生源が生じるのを回避すべきである。
【００１１】
欧州特許出願公開第１  ００２  ３２５  Ａ１号明細書より、接点の残り耐用寿命を認識するために比較的高いコストのかかる方法が公知である。この方法では、既存の手段又は追加の手段によって、開閉装置の開路時に接点溶着を認識する。このようにして、出力される信号および／又は特に短絡回路の後での開閉動作の停止により、負荷や電気設備にとっての重大な電気障害の危険が取り除かれる。
【００１２】
欧州特許出願公開第０８３２４９６号明細書より、開閉装置駆動部の監視を通じて、開閉装置の接点溶着を検出する方法が公知である。開閉装置駆動部が開路プロセスの際に正常な開路位置迄達しないと、直列につながれた第２の開閉装置が電気回路を遮断するために操作される。
【発明の開示】
【発明が解決しようとする課題】
【００１３】
本発明の課題は、このような潜在的な不具合の発生源を認識し、それに対し適宜対応することにある。
【課題を解決するための手段】
【００１４】
本課題は、請求項１と３の構成要件を備える方法並びに請求項８と１０の構成要件を備える装置によって解決される。請求項１５と１６は好適な開閉装置、請求項２、４〜７、９、１１〜１４並びに１７は、この方法および装置の発展例を開示している。
【００１５】
本発明は、開閉装置が開閉されるのときの接点の溶着を少ないコストで認識し、引き続いて、溶着している接点を開裂することを可能にする。
【００１６】
本発明は、接触片および可動の接触ブリッジを有する少なくとも１つの開閉可能な主接点を備える開閉装置を安全に作動させる方法と装置に関する。開閉装置は、可動の磁心を備える少なくとも１つの制御磁石を有し、磁心は閉路および開路の際に、対応する主接点を閉じたり開いたりすべく接触ブリッジに作用する。磁心の閉止位置と開放位置に応じて閉状態と開状態を有する開閉接点を備える。
【００１７】
本発明では、第１のステップで、制御磁石がオンおよび／又はオフされた際に接点開裂手段を作動させるための電気制御信号を生成し、この制御信号を、開閉装置が適正に作動している際には、開閉接点の閉状態の範囲外に位置するように出力する。不具合が生じている場合、特に開閉装置の少なくとも１つの主接点に溶着が生じており、制御磁石をオン又はオフした際に開閉接点が閉状態に留まっているなら、第２のステップで、接点開裂手段を作動させる制御信号を開閉接点が導通することで、接点開裂手段を作動させる。
【００１８】
別案として、本発明では第１のステップで、制御磁石をオンおよび／又はオフした際に接点開裂手段を作動させるための電気制御パルスを生成し、この制御パルスの各々の時間を、開閉装置が適正に作動している際には、時間的に開閉接点の開状態の範囲内に収まるように設定する。第２のステップで、制御磁石をオン又はオフした際に開閉接点が閉状態に止まっているときは、接点開裂手段を作動させる制御パルスを開閉接点が導通することによって、接点開裂手段を作動させる。
【００１９】
本発明の要部は、接点開裂手段を作動させる適当な電気信号を生成することにある。
【００２０】
本発明の特別な利点は、開閉装置を開閉操作するたびに、少なくとも１つの溶着した主接点の存在に関するチェックが可能なことにある。不具合がある場合には、接点開裂手段を作動させ、この少なくとも１つの溶着した主接点を開裂させることができる。追加的又は代替的に、開閉装置の不安全な動作を知らせる相応の警告信号を生起できる。
【００２１】
このように、本発明の方法と装置により、例えば接触器、電源スイッチ或いはコンパクト分岐器等の多極開閉装置の安全な作動、特に３極開閉装置の安全な作動を保証し得る。
【００２２】
特に、電気制御パルスは、開閉装置を開路する際に所定の値だけ遅延させる。この遅延は、例えば復帰遅延型のブレーク接点によって生起させ得る。
【００２３】
これに代えて、電子スイッチング回路により電気制御パルスを発生させてもよい。そのために、電気制御パルスの時間を生成させ、かつ場合により時間的に遅延をさせるべく、例えば単安定マルチバイブレータや所謂モノフロップ等の少なくとも１つのパルス発生器と、時間遅延素子とを設けてもよい。
【００２４】
上記に加えて、接点開裂手段が作動した際に、開閉装置の以後の動作を中止し得る。作動に基づく開閉装置のロックは、ディスプレイ、機械的な表示部材およびリセット部材、警報接点又はデータバスを通じて、表示および／又は二次処理することができる。
【００２５】
本発明のその他の有利な実施形態および有利な発展例を、従属請求項に示す。
【発明を実施するための最良の形態】
【００２６】
次に、下記の図面を参照し、本発明並びに有利な実施形態を詳しく説明する。
【００２７】
図１に示すように、本発明の方法では、基本的に、次の両ステップを実施する。
ステップａ）制御磁石をオンおよび／又はオフした際に接点開裂手段を作動させるための電気制御信号を生成し、この制御信号を、開閉装置が適正に作動している際には、開閉接点の閉状態の範囲外に位置するように出力し、
ステップｂ）制御磁石をオン又はオフした際に開閉接点が閉状態に留まっているなら、接点開裂手段を作動させる制御信号を開閉接点が導通することによって、開閉手段の動作に不具合がある際に接点開裂手段を作動させる。
【００２８】
本発明による別案の方法では、基本的に、次の２つのステップを実施する。
ステップａ）制御磁石をオンおよび／又はオフした際に接点開裂手段を作動させるための電気制御パルスを発生し、この際、制御パルスの各々の時間を、開閉装置が適正に作動している際には、時間的に開閉接点の開状態の範囲内に収まるように設定し、
ステップｂ）制御磁石がオン又はオフされた際に開閉接点が閉状態にとどまっているときは、接点開裂手段を作動させる制御パルスを開閉接点が導通することによって、接点開裂手段を作動させる。
【００２９】
それにより、開閉装置の耐用寿命が終わった際に、即ち接触面の接点材料が特に少なくとも１つの主接点が溶着する程度迄剥離した際に、この溶着した接点を開裂できることが保証され、それによって開閉装置の安全な作動が保証される。
【００３０】
本発明による方法は、制御可能な駆動部によって開閉操作が行われる開閉装置、例えば遠隔操作式のスイッチ、接触器、スイッチ接触器等に適用できる。
【００３１】
作動に伴い、例えば切換ラッチ等の蓄力器のロックが解除され、それに伴い溶着している接点が開裂される。更に、接点溶着を開裂すべく、電気的に作動する力部材が設けられていてよい。切換ラッチでは開裂することができない堅固な接点溶着の場合に、負荷への電流の流れを遮断するために、切換ラッチは、各開閉接点の互いに独立した開放を可能にする、更に別の接点開放機構を操作することができる。それにより、溶着していない接点が切換ラッチによって開かれて、電流の流れが遮断される。
【００３２】
パルス遅延および制御パルスは、公知の方法で、機械式、電気機械式又は電子式の手段により具体化することができ、必要な電気エネルギーはエネルギー蓄積器、例えばコンデンサやコイルにより提供できる。エネルギー蓄積器を充電するために、スイッチ接触器の制御電圧を利用できる。
【００３３】
次に、２通りの実施例を参照しながら、本発明の装置を詳しく説明する。
【００３４】
図２は一例として、本発明による装置１の第１の実施形態を示す。装置１には、図２の左側部分に図示する２つの端子を介して、切換電圧Ｕｓが供給される。切換電圧Ｕｓは、通常、制御磁石および開閉装置の電磁駆動部に対して、制御装置の閉路命令が出された際に送られる。切換電圧が印加されることで、制御磁石の励起コイルに電流が供給され、それによって制御磁石の磁心を、開閉装置の主接点を開いたり閉じたりするように操作することができる。切換電圧Ｕｓと並列に、エネルギー蓄積のためのコンデンサの形態の蓄電器２を図示している。このエネルギーは、特に開閉装置が開路された際に、即ち切換電圧Ｕｓが消滅した後に、接点開裂手段６を作動させるのに利用される。
【００３５】
図２の例は、溶着した主接点を開裂するための接点開裂手段として、切換ラッチ６と機械的に接続されたリリース機構５を示す。リリース機構５は、切換ラッチ６を作動させるべく、ある程度の最低時間の間リリース機構５に供給される電流ｉＡを必要とする。このことは、図２の例では、リリース機構５と直列につながれた両方の開閉接点３と４が閉じた際に可能となる。電気接点３はブレーク接点であり、電気接点４はメーク接点である。メーク接点４は、基本的に、その閉状態と開状態に関して、磁心の閉止位置と開放位置に呼応している。ブレーク接点３は、例えば復帰遅延型のリレー接点であってよく、この場合、リレー接点のコイルは蓄積された切換電圧Ｕｓとつながれているのが好ましい。
【００３６】
開閉装置の電磁駆動部および制御磁石がオンされると、磁心は、接点が溶着していない場合、磁心のばね開放力と可動接点の接点負荷の間の力の差の値よりも磁力が上回った後に、閉止方向へと動く。例えば４ｍｍである数ｍｍの閉止距離の後、機械的な操作部材を介して磁心に結合されている可動接点が、開閉装置の固定接点に当たる。磁心が更に閉止運動をすると、確実な接触力のために必要な押圧力が開閉接点で生ずる。磁心運動の開始から閉路位置に至る迄の磁心距離全体は、例えば６ｍｍである。磁心が開路位置から閉路位置へと加速された閉止運動をすると、例えば接触器等の開閉装置の場合には、０．５〜２ｍ／秒の閉止速度で、１０〜３０ｍ秒の典型的な閉止時間が生じる。この際閉止時間の主要部分は、可動接点が開路位置から固定接点と接触する迄の経路で占められている。磁心の運動には電気接点４の操作が結びつき、この接点は、磁心が開放位置にある際には開き、磁心の閉止運動中に、特定の磁心位置の際に閉じる。磁心位置は、接点が溶着していて制御磁石がオフされた際に、この接点４が確実に閉じるように規定されている。
【００３７】
本発明では、接点開裂手段６を作動させるための電気制御信号が出力される。このことは、閉路コマンドと同時に、又はその直後に、即ち切換電圧Ｕｓが印加されると同時に電気的なブレーク接点３が開かれ、その後、磁心が接点接触点の領域で切換位置に達した際に、適正な開閉動作時には、電気的なメーク接点４が閉じることで実現される。
【００３８】
制御磁石がオフされると、磁心開放運動が始まる前に、磁気的な磁心閉止力が磁心開放力よりも弱くなる迄、磁場の解消がまず行われる。数ｍｍの開放距離の後、主接点が溶着していない場合には、磁心およびこれと摩擦力で結合している接触スライダが、開閉装置の可動接点に当たってこれを開く。磁心運動により操作されるメーク接点４は、磁心が所定の位置にきたところで接点を開き、磁心開放運動が更に進んでも開路状態のままに保たれる。開閉装置の開路コマンドからメーク接点４の確実な開路に至る迄の時間が、リリース機構５を制御する制御信号の所定の遅延時間についての最低時間を規定する。即ち開閉動作に不具合がなければ、この遅延時間よりも前に、又は遅延時間の終了時に、開路時の制御信号がメーク接点４により無効となり、次回の閉路コマンド迄そのまま維持される。開閉装置が開路されると、即ち切換電圧Ｕｓが消滅すると、適正な開閉動作時には、メーク接点４が既に再び開いてしまった後で、ブレーク接点３が例えば１００ｍ秒の所定の遅延時間で復帰する。開閉接点３と４が交互に開位置になることで、適正な開閉動作時に接点開裂手段６を作動させるための電流ｉＡがリリース機構５に流れることはない。
【００３９】
そして本発明によると、開閉手段の動作に不具合がある場合、制御磁石がオン又はオフされた際に開閉接点４が閉状態に留まっているときは、接点開裂手段６が作動する。その場合、この開閉接点は接点開裂手段６を作動させるための制御信号を導通し、それによってリリース機構５に電流ｉＡが供給される。このとき制御信号は、閉路時にはブレーク接点３が既に閉じている場合に切換電圧Ｕｓの形態でリリース機構５に印加され、開路時にはブレーク接点３が「閉じたまま保たれた」後に、蓄電された切換電圧Ｕｓの形態でリリース機構に印加される、解放信号であるとみなすことができる。
【００４０】
このように、開閉装置の開路時に接点の溶着が確実に認識され、リリース機構５によって切換ラッチ６が外される。接点溶着が開裂されることで、負荷へと通じる電気開路が分断され、それ以後は作動に基づくオンオフをしないように開閉装置がロックされる。
【００４１】
開閉装置の再使用の開始は、接点溶着を開裂した後でのみ、又は新たな接点を取り付けた後でのみ可能である。即ち、開閉接点を通る電流はもはや成立しなくなる。このような種類の閉路試行が何度かなされると、切換ラッチによって、溶着している接点で同じ回数の追加の開裂試行が行われ、それにより、通常の場合であれば平均的な強さの接点溶着を取り除くことができる。
【００４２】
メーク接点４は、リリース機構の励起回路を閉路又は開路するものであり、電子的に構成されていてセンサ制御により切換可能であってもよい。メーク接点４は、例えば磁心に取り付けられた永久磁石により開閉されるリード継電器である。メーク接点４は、磁心又はこれに結合された機械部品により操作され、強制的に操作される機械的な開閉部材であってもよい。機械式、電子機械式、又は電子式の回路によって、制御磁石のターンオフ命令から、リリース機構５に対する、時間的に遅延した制御信号が導き出され、この制御信号は、電気エネルギー蓄積器から供給され、接点溶着がある場合にはリリース機構５を操作して、開閉装置の切換ラッチ６を外す。このことを、次の図３で詳細に説明する。
【００４３】
図３は、本発明による装置１の一例としての第２の実施形態を示す。開閉接点３の機能は、ここでは、合計信号Ｓの適当な制御パルスＰＬを回路８の出力部に供給する、電子回路および制御電子装置８によって実行される。合計信号Ｓは、図３の例では、両方の個々の信号ＰおよびＶを統合するＯＲ素子１３によって生起される。
【００４４】
信号Ｐは、ポジティブエッジトリガされた入力信号に反応する、パルス発生器としての単安定マルチバイブレータ乃至はモノフロップ１０によって生成される。本例では、入力信号は切換電圧Ｕｓである。このことは、開閉装置が閉路される際にモノフロップ１０が所定の時間ＴＰをもつ矩形パルスを生成し、そして、この矩形パルスが制御パルスＰＬとして合計信号Ｓに印加されることを意味している。時間ＴＰは、適正な開閉動作時には、メーク接点４が閉じる前に制御パルスＰＬが既に「通り過ぎている」ように設定されている。その一方で、後置されたリリース機構５をまだ作動させ得るように、制御パルスＴＰは最低時間の間印加されねばならない。リリース機構は、例えば電磁式、熱式又はモータ式に構成されていてよい。時間ＴＰは、例えば数ｍ秒の範囲内にある。
【００４５】
信号Ｖは、時間遅延素子１２により数ｍ秒の時間ＴＶだけ信号Ｎに対し遅延される。この際信号Ｎは、ネガティブでエッジトリガされる入力信号に反応する、別の単安定マルチバイブレータ１１および別のモノフロップ１１により生成される。本例では、この入力信号は同様に切換電圧Ｕｓである。このことは、開閉装置が開路され、かつ切換電圧Ｕｓが消滅したとき、モノフロップ１１が所定の時間ＴＮをもつ矩形パルスを生成し、そしてこのパルスが制御パルスＰＬとして、時間ＴＶだけ遅延された上で、合計信号Ｓに印加されることを意味している。時間ＴＮは、リリース機構５をまだ作動させるのに制御パルスＰＬが十分長く、かつ適正な開閉動作の際にはメーク接点４が再び閉じているように、時間ＴＶだけ遅延するように設定されている。従って時間ＴＰは、数ミリ秒の範囲内にある。
【００４６】
監視装置１の左側部分には、端子と並列に位置し、ダイオード７と蓄積コンデンサ２からなる直列回路が設けられている。ダイオード７は、コンデンサ２に印加される電圧を切換電圧Ｕｓから切り離す役目をし、もって切換電圧Ｕｓが消滅したときでも、制御パルスＰＬを生成するための電流を電子回路８に供給できるようになっている。
【００４７】
図４は、開閉装置が閉路される際に生成される制御パルスＰＬの時間的推移を表すタイムチャートである。図５は、開閉装置が開路されるときの同じタイムチャートを示す。図４と図５の各々左側部分は、適正な動作のときの開閉装置の開閉挙動を示し、図４および図５の右側部分は、動作に不具合があるとき、即ち、特に少なくとも１つの主接点が溶着しているときの開閉挙動を示している。
【００４８】
図４は、開閉装置が閉路される際に各切換信号Ｕｓから実質的に遅延なく生成され、パルス幅ＴＰを持った制御パルスＰＬを示している。図４は、更にこの制御パルスＰＬが適正な開閉動作では、閉止される開閉接点４の切換エッジよりも時間的に前に位置していることを示す。開閉接点４に作用する磁心制御信号Ａの時間的推移が、このことを示している。それに対し図４の右側部分は、開閉接点４が開かなくなった溶着のケースを示す。この場合には、制御パルスＰＬの出力によって、リリース機構５を作動させるための電流ｉＡが流れる。
【００４９】
図５は、開閉装置の開路時に、蓄電された切換電圧Ｕｓから各々時間ＴＶだけ遅延されて生成される、パルス幅ＴＮをもつ制御パルスＰＬを示す。図５に更に示す如く、この制御パルスＰＬは適正な開閉動作では、開放される開閉接点４の切換エッジよりも時間的に後に位置している。開閉接点４に作用する磁心信号Ａの時間的推移が、このことを示している。それに対し図５の右側部分は、開閉接点４が開かなくなった溶着のケースを示している。この場合、制御パルスＰＬの出力によって、リリース機構５を作動させるための電流ｉＡが流れることが可能である。
【図面の簡単な説明】
【００５０】
【図１】本発明による方法の簡略化したフローチャートである。
【図２】本発明による装置の第１の実施形態である。
【図３】本発明による装置の第２の実施形態である。
【図４】開閉装置が閉路される際に生成される制御パルスの時間的推移を、適正な動作のときと不具合のある動作のときとで示すタイムチャートである。
【図５】開閉装置が開路される際に生成される制御パルスの時間的推移を、適正な動作のときと不具合のある動作のときとで示すタイムチャートである。
【符号の説明】
【００５１】
１  監視装置、２  エネルギー蓄積器、３、４  開閉接点、５  リリース機構、６  接点開裂手段、７  ダイオード、８  電子回路、１０、１１  モノフロップ、１２  時間遅延素子
【図１】
2008525948.tif 000003
【図２】
2008525948.tif 000004
【図３】
2008525948.tif 000005
【図４】
2008525948.tif 000006
【図５】
2008525948.tif 000007
【国際調査報告】
2008525948.tif 000008
2008525948.tif 000009
2008525948.tif 000010
2008525948.tif 000011